(57)【特許請求の範囲】
【請求項１】
印刷対象の文書データから複数の色成分のラスタ画像データを生成するラスタ画像データ生成手段と、
前記ラスタ画像データの前記複数の色成分ごとに網点画像データを生成する網点画像データ生成手段と、
前記網点画像データ生成手段による前記網点画像データの生成に際し、網点の最小サイズを前記複数の色成分にそれぞれ対応したサイズに制御するサイズ制御手段と、
前記サイズ制御手段により網点の最小サイズが制御された前記網点画像データに基づき前記複数の色成分にそれぞれ対応する色のトナーを用いて記録媒体上に定着対象の各色トナー画像を形成する画像形成手段と、
前記記録媒体に閃光光源より閃光を照射して前記記録媒体に転写された前記各色トナー画像を定着させる閃光定着手段と
を具備し、
前記サイズ制御手段は、前記閃光に対するトナーの光吸収率の低い色成分の網点の最小サイズを前記光吸収率の高い色成分の網点の最小サイズより大きくする
画像形成装置。
【請求項２】
前記複数の色成分は、黒、マゼンタ、シアン及び黄の色成分であり、
前記サイズ制御手段は、黒、マゼンタ、シアン及び黄の各色成分の前記ラスタ画像データ中、黄色成分の網点の最小サイズを他の色成分の網点の最小サイズより大きくする
請求項１または２に記載の画像形成装置。
【請求項３】
印刷対象の文書データから複数の色成分のラスタ画像データを生成するラスタ画像データ生成手段と、
前記ラスタ画像データの前記複数の色成分ごとに網点画像データを生成する網点画像データ生成手段と、
前記網点画像データ生成手段による前記網点画像データの生成に際し、網点の最小サイズを前記複数の色成分にそれぞれ対応したサイズに制御するサイズ制御手段と、
前記サイズ制御手段により網点の最小サイズが制御された前記網点画像データに基づき前記複数の色成分にそれぞれ対応する色のトナーを用いて記録媒体上に定着対象の各色トナー画像を形成する画像形成手段と、
前記記録媒体に閃光光源より閃光を照射して前記記録媒体に転写された前記各色トナー画像を定着させる閃光定着手段と、
前記複数の色成分中、可視光領域に共通の閃光吸収スペクトル領域を有する色成分群がある場合に前記閃光吸収スペクトル領域に発光スペクトルを有するように前記閃光定着手段の閃光光源を発光駆動する発光駆動制御手段と
を具備し、
前記サイズ制御手段は、前記色成分群以外の色成分の網点の最小サイズが前記色成分群の網点の最小サイズより大きくなるように網点最小サイズを規制制御する
画像形成装置。
【請求項４】
前記サイズ制御手段は、
前記網点の最小サイズを大きくする色成分の網点画像データの生成に際し、網点面積率が所定値より低い領域内の網点の配列がランダムなスクリーンを用いる
請求項１〜３のいずれかに記載の画像形成装置。
【請求項５】
ラスタ画像データから生成される網点画像データに基づき各色成分にそれぞれ対応する色のトナーを用いて記録媒体上に定着対象の各色トナー画像を形成する画像形成手段と、前記記録媒体に閃光光源より閃光を照射して前記記録媒体に転写された前記各色のトナー画像を定着させる閃光定着手段とをコンピュータにより制御する画像形成装置に実装され、
前記コンピュータを、
印刷対象の文書データから複数の色成分のラスタ画像データを生成するラスタ画像データ生成手段、
前記ラスタ画像データの前記複数の色成分ごとに網点画像データを生成する網点画像データ生成手段、
前記網点画像データ生成手段による前記網点画像データの生成に際し、網点の最小サイズを前記複数の色成分にそれぞれ対応したサイズに制御するサイズ制御手段
として機能させ、
前記サイズ制御手段は、前記閃光に対するトナーの光吸収率の低い色成分の網点の最小サイズを前記光吸収率の高い色成分の網点の最小サイズより大きくする
画像処理プログラム。
【請求項６】
前記コンピュータを、
前記複数の色成分中、可視光領域に共通の閃光吸収スペクトル領域を有する色成分群がある場合に前記閃光吸収スペクトル領域に発光スペクトルを有するように前記閃光定着手段の閃光光源を発光駆動する発光駆動制御手段
として機能させ、
前記サイズ制御手段は、前記色成分群以外の色成分の網点の最小サイズが前記色成分群の網点の最小サイズより大きくなるように網点最小サイズを規制制御する
請求項５に記載の画像処理プログラム。
【請求項７】
ラスタ画像データから生成される網点画像データに基づき各色成分にそれぞれ対応する色のトナーを用いて記録媒体上に定着対象の各色トナー画像を形成する画像形成手段と、前記記録媒体に閃光光源より閃光を照射して前記記録媒体に転写された前記各色のトナー画像を定着させる閃光定着手段とをコンピュータにより制御する画像形成装置に実装され、
前記コンピュータを、
印刷対象の文書データから複数の色成分のラスタ画像データを生成するラスタ画像データ生成手段と、
前記ラスタ画像データの前記複数の色成分ごとに網点画像データを生成する網点画像データ生成手段と、
前記網点画像データ生成手段による前記網点画像データの生成に際し、網点の最小サイズを前記複数の色成分にそれぞれ対応したサイズに制御するサイズ制御手段と、
前記サイズ制御手段により網点の最小サイズが制御された前記網点画像データに基づき前記複数の色成分にそれぞれ対応する色のトナーを用いて記録媒体上に定着対象の各色トナー画像を形成する画像形成手段と、
前記記録媒体に閃光光源より閃光を照射して前記記録媒体に転写された前記各色トナー画像を定着させる閃光定着手段と、
前記複数の色成分中、可視光領域に共通の閃光吸収スペクトル領域を有する色成分群がある場合に前記閃光吸収スペクトル領域に発光スペクトルを有するように前記閃光定着手段の閃光光源を発光駆動する発光駆動制御手段と
として機能させ、
前記サイズ制御手段は、前記色成分群以外の色成分の網点の最小サイズが前記色成分群の網点の最小サイズより大きくなるように網点最小サイズを規制制御する
画像処理プログラム。
【発明の詳細な説明】
【技術分野】
【０００１】
本発明は、画像形成装置、及び画像処理プログラムに関する。
【背景技術】
【０００２】
プリンタや複合機等に用いられ、各色のトナー像を重ね合わせて記録媒体（用紙）に転写した後、定着装置により該トナー像を溶融させ用紙上にカラー画像として定着させて排出するカラー画像形成装置として、接触式の定着装置による用紙へのダメージを防ぐために、光源ランプから発する閃光により各色トナーを溶融して定着する閃光定着装置を採用したものが知られている。
【０００３】
この種の従来のカラー画像形成装置の例として、下記特許文献１には、赤外線吸収トナーを用いて閃光定着装置での定着性を改善する技術が開示されている。
【０００４】
また、下記特許文献２には、扁平形状のトナーを用いて赤外線定着方式での定着性を改善する技術が開示されている。
【０００５】
また、下記特許文献３には、記録媒体の定着性に応じてドット配置データを生成する技術が開示されている。
【０００６】
また、下記特許文献４には、赤外吸収剤としてフタロシアニン系化合物を用いるトナーを用いる技術が開示されている。
【０００７】
また、下記特許文献５には、フラッシュ定着の光源としてＬＥＤアレイを用いる構成が開示されている。
【０００８】
また、下記特許文献６には、フラッシュ定着の光源としてレーザを用いる構成が開示されている。
【先行技術文献】
【特許文献】
【０００９】
【特許文献１】特開２００２−１０８０２３号公報
【特許文献２】特開２０００−２２１８１４号公報
【特許文献３】特開２００６−２８９７５０号公報
【特許文献４】特開２０００−２１４６２８号公報
【特許文献５】特開平０６−３０１３０４号公報
【特許文献６】特開２００２−２０２６８６号公報
【発明の概要】
【発明が解決しようとする課題】
【００１０】
本発明は、閃光定着法による定着装置を用いたカラー画像形成に際し、閃光定着法の条件を変えずに各色トナーの定着性を変化させることができる画像形成装置、及び画像処理プログラムを提供することを目的とする。
【課題を解決するための手段】
【００１１】
上記目的を達成するために、請求項１記載の画像形成装置の発明は、印刷対象の文書データから複数の色成分のラスタ画像データを生成するラスタ画像データ生成手段と、前記ラスタ画像データの前記複数の色成分ごとに網点画像データを生成する網点画像データ生成手段と、前記網点画像データ生成手段による前記網点画像データの生成に際し、網点の最小サイズを前記複数の色成分にそれぞれ対応したサイズに制御するサイズ制御手段と、前記サイズ制御手段により網点の最小サイズが制御された前記網点画像データに基づき前記複数の色成分にそれぞれ対応する色のトナーを用いて記録媒体上に定着対象の各色トナー画像を形成する画像形成手段と、前記記録媒体に閃光光源より閃光を照射して前記記録媒体に転写された前記各色トナー画像を定着させる閃光定着手段とを具備する。
【００１２】
請求項２記載の発明は、上記請求項１記載の発明において、前記サイズ制御手段は、前記閃光に対するトナーの光吸収率の低い色成分の網点の最小サイズを前記光吸収率の高い色成分の網点の最小サイズより大きくする。
【００１３】
請求項３記載の発明は、上記請求項１または２記載の発明において、前記複数の色成分は、黒、マゼンタ、シアン及び黄の色成分であり、前記サイズ制御手段は、黒、マゼンタ、シアン及び黄の各色成分の前記ラスタ画像データ中、黄色成分の網点の最小サイズを他の色成分の網点の最小サイズより大きくする。
【００１４】
請求項４記載の発明は、上記請求項１記載の発明において、前記複数の色成分中、可視光領域に共通の閃光吸収スペクトル領域を有する色成分群がある場合に前記閃光吸収スペクトル領域に発光スペクトルを有するように前記閃光定着手段の閃光光源を発光駆動する発光駆動制御手段を有し、前記サイズ制御手段は、前記色成分群以外の色成分の網点の最小サイズが前記色成分群の網点の最小サイズより大きくなるように網点最小サイズを規制制御する。
【００１５】
請求項５記載の発明は、上記請求項１乃至４のいずれか１項記載の発明において、前記サイズ制御手段は、前記網点の最小サイズを大きくする色成分の網点画像データの生成に際し、網点面積率が所定値より低い領域内の網点の配列がランダムなスクリーンを用いる。
【００１６】
請求項６記載の画像処理プログラムの発明は、ラスタ画像データから生成される網点画像データに基づき各色成分にそれぞれ対応する色のトナーを用いて記録媒体上に定着対象の各色トナー画像を形成する画像形成手段と、前記記録媒体に閃光光源より閃光を照射して前記記録媒体に転写された前記各色のトナー画像を定着させる閃光定着手段とをコンピュータにより制御する画像形成装置に実装され、前記コンピュータを、印刷対象の文書データから複数の色成分のラスタ画像データを生成するラスタ画像データ生成手段、前記ラスタ画像データの前記複数の色成分ごとに網点画像データを生成する網点画像データ生成手段、前記網点画像データ生成手段による前記網点画像データの生成に際し、網点の最小サイズを前記複数の色成分にそれぞれ対応したサイズに制御するサイズ制御手段として機能させる。
【００１７】
請求項７記載の発明は、上記請求項６記載の発明において、前記コンピュータを、前記複数の色成分中、可視光領域に共通の閃光吸収スペクトル領域を有する色成分群がある場合に前記閃光吸収スペクトル領域に発光スペクトルを有するように前記閃光定着手段の閃光光源を発光駆動する発光駆動制御手段として機能させ、前記サイズ制御手段を、前記色成分群以外の色成分の網点の最小サイズが前記色成分群の網点の最小サイズより大きくなるように網点最小サイズを規制制御するサイズ規制制御手段として機能させる。
【発明の効果】
【００１８】
請求項１記載の画像形成装置の発明によれば、閃光定着法による定着装置を用いたカラー画像形成に際し、閃光定着法の条件を変えずに各色トナーの定着性を変化させることができる。
【００１９】
請求項２記載の発明によれば、請求項１記載の発明において、本構成を有さない場合に比較して、各色トナー間の定着性の差を抑制することができる。
【００２０】
請求項３記載の発明によれば、請求項１または２記載の発明において、黄色成分以外の色成分の網点の最小サイズを大きくする場合に比べて、画質が粗く見えることへの影響が軽微となる。
【００２１】
請求項４記載の発明は、請求項１記載の発明において、本構成を有さない場合に比較して、各色トナー間の定着性の差を抑制することができる。
【００２２】
請求項５記載の発明によれば、請求項１乃至４のいずれか１項記載の発明において、網点面積率が所定値より低い領域内の網点の配列が規則性のあるスクリーンを用いる場合に比べて画質が粗く見えることを抑制することができる。
【００２３】
請求項６記載の画像処理プログラムの発明によれば、閃光定着法による定着装置を用いたカラー画像形成に際し、閃光定着法の条件を変えずに各色トナーの定着性を変化させることが可能な画像形成動作を行わせることができる。
【００２４】
請求項７記載の発明によれば、請求項６記載の発明において、本構成を有さない場合に比較して、各色トナー間の定着性の差を抑制することが可能な画像形成動作を行わせることができる。
【図面の簡単な説明】
【００２５】
【図１】本発明の一実施形態に係わるプリンタの機能構成を示すブロック図。
【図２】画像形成部の構成を示す図。
【図３】閃光スペクトル分布と各色トナー像の分光反射率の分布を示す図。
【図４】各色トナー毎の閃光光吸収率特性を示す図。
【図５】実施例１に係わるプリンタの印刷処理動作を示すフローチャート。
【図６】実施例１に係るプリンタの中間調画像処理動作を示すフローチャート。
【図７】Ｙ色の網点画像変換に用いるスクリーンＳｃ１の例を示す図。
【図８】Ｙ色の網点画像変換に用いるスクリーンＳｃ２の例を示す図。
【図９】実施例１のＹ色の網点画像変換に用いるスクリーンＳｃ３の例を示す図。
【図１０】スクリーン処理対象の入力画像データの一例を示す概念図。
【図１１】Ｙ色成分画像に対するスクリーンＳｃ１によるスクリーン処理を示す概念図。
【図１２】図１１のスクリーン処理で得られるＹ色網点画像データの例を示す概念図。
【図１３】Ｙ色成分画像に対するスクリーンＳｃ２によるスクリーン処理を示す概念図。
【図１４】図１３のスクリーン処理で得られるＹ色網点画像データの例を示す概念図。
【図１５】実施例１でのスクリーンＳｃ３によるスクリーン処理を示す概念図。
【図１６】図１５のスクリーン処理で得られるＹ色網点画像データの例を示す概念図。
【図１７】実施例１に係る中間調パターンと従来パターンとの構成比較を示す図。
【図１８】実施例１の中間調パターンを用いた場合のトナー剥離率測定結果を示す図。
【図１９】実施例１に係るＭ色中間調パターンのランダムドット配置を示す概念図。
【図２０】実施例２に係るキセノンランプの発光駆動シミュレーションデータを示す図。
【図２１】図２０の発光スペクトルでの発光による各色トナーの光吸収率特性を示す図。
【図２２】実施例２に係わるプリンタの機能構成を示すブロック図。
【図２３】実施例２に係るプリンタの中間調画像処理動作を示すフローチャート。
【図２４】実施例２に係るＹ色用スクリーン成長パターンと従来パターンを示す概念図。
【発明を実施するための形態】
【００２６】
以下、本発明の実施の形態について添付図面を参照して詳細に説明する。
【００２７】
図１は、本実施の形態に係るプリンタ１０の機能構成を示すブロック図である。
【００２８】
このプリンタ１０は、例えば、ＰＣ（パーソナル・コンピュータ）により実現されるクライアント端末（以下、ＰＣ）９等の外部装置との通信に係るインタフェースを司る外部インタフェース（Ｉ／Ｆ）部１１、外部Ｉ／Ｆ部１１を通じてＰＣ９から受信される印刷命令（コマンド）を処理する画像処理部１２、画像処理部１２が上記コマンドを処理して出力する印刷データ（後述する網点画像データ）に基づき記録媒体（記録用紙：以下、用紙）上に画像を形成（印字）する画像形成部１３、操作ガイダンスや動作状態等の各種情報を表示する表示部と、キーボードやマウス等の入力デバイスから成る入力部から成る表示／操作部１４、動作プログラム等を含む各種情報を記憶する記憶部１５、装置全体の制御を行う制御部１６を具備して構成される。
【００２９】
画像処理部１２は、ＰＣ９からのコマンドを解析するコマンド解析部１２１、コマンド解析部１２１でのコマンド解析の結果、通常の印刷命令である場合、印刷対象の文書データ〔ＰＤＬ（Ｐａｇｅ  Ｄｅｓｃｒｉｐｔｉｏｎ  Ｌａｎｇｕａｇｅ）データ〕をレンダリングしてビットマップ画像（ラスタ画像）に展開する描画処理を行う描画部１２２、ビットマップ展開されたＰＤＬデータをＲ，Ｇ，Ｂの色データからＹ，Ｍ，Ｃ，Ｋの色データに色変換する色変換部１２３、色変換後の印刷データ（各色成分を含むラスタ画像データ）を階調補正する階調補正部１２４、階調補正部１２４により階調補正されたラスタ画像データに対してスクリーン処理〔ラスタ画像データを、網点が行列配置されたハーフトーンスクリーン（以下、スクリーン）を用いて各網点に対応する多階調画素を２値信号に変換して網点画像データを生成する。〕を施すスクリーン処理部１２５、スクリーン処理部１２５でのスクリーン処理に際して網点画像データの最小サイズを各色成分にそれぞれ対応したサイズに制御するドットサイズ制御部１２６を具備して構成される。
【００３０】
画像形成部１３には、画像処理部１２で生成される印刷データ（網点画像データ）に基づいて用紙上に画像を形成（印刷）する際、用紙上に形成される各色トナー像を当該用紙上に定着させる機構として閃光定着装置４４が備わる。
【００３１】
画像形成部１３の詳しい構成を図２に示す。図２に例示する画像形成部１３は、例えば、黄（Ｙ：Ｙｅｌｌｏｗ），マゼンタ（Ｍ：Ｍａｇｅｎｔａ），シアン（Ｃ：Ｃｙａｎ），黒（Ｋ：Ｂｌａｃｋ）の各色のトナー（Ｙ），（Ｍ），（Ｃ），（Ｋ）を用いて、それぞれ、Ｙ色，Ｍ色，Ｃ色，Ｋ色の画像（トナー像）を形成する画像形成ユニット３０Ｙ，３０Ｍ，３０Ｃ，３０Ｋを備えている。
【００３２】
各画像形成ユニット３０Ｙ，３０Ｍ，３０Ｃ，３０Ｋは、それぞれ、画像処理部１２から入力される当該各ユニットに対応する色成分（Ｙ成分，Ｍ成分，Ｃ成分，Ｋ成分）の画像信号（印刷データ：網点画像データ）に基づきレーザ光による画像露光を行う露光部３１Ｙ，３１Ｍ，３１Ｃ，３１Ｋ、上記画像露光により各色成分の画信号に応じた静電潜像が形成される像担持体としての感光体ドラム３２Ｙ，３２Ｍ，３２Ｃ，３２Ｋ、静電潜像の形成前に感光体ドラム３２Ｙ，３２Ｍ，３２Ｃ，３２Ｋの周面を帯電する帯電部３３Ｙ，３３Ｍ，３３Ｃ，３３Ｋ、それぞれ異なる色（Ｙ，Ｍ，Ｃ，Ｋ）のトナーが充填されており、感光体ドラム３２Ｙ，３２Ｍ，３２Ｃ，３２Ｋ上に形成された上記静電潜像に該当する色のトナーを供給して当該各色のトナー像を形成する現像部３４Ｙ，３４Ｍ，３４Ｃ，３４Ｋ、各色のトナー像を後述の転写ベルト４１に転写した後の感光体ドラム３２Ｙ，３２Ｍ，３２Ｃ，３２Ｋ上の残存トナーを掻き落として各感光体ドラム３２Ｙ，３２Ｍ，３２Ｃ，３２Ｋ周面を清掃するドラムクリーナ部３５Ｙ，３５Ｍ，３５Ｃ，３５Ｋを備える。
【００３３】
また、画像形成部１３には、現像３４Ｙ，３４Ｍ，３４Ｃ，３４Ｋで現像された各色のトナー像を順次多重転写（一次転写）する中間転写ベルト（以下、転写ベルト）４１、上記各画像形成ユニット３０Ｙ，３０Ｍ，３０Ｃ，３０Ｋの各感光体ドラム３２Ｙ，３２Ｍ，３２Ｃ，３２Ｋに対応して設けられ、転写ベルト４１を矢印方向に周回搬送するベルト搬送ローラ４２Ｙ，４２Ｍ，４２Ｃ，４２Ｋ、ベルト搬送ローラ４２Ｙ，４２Ｍ，４２Ｃ，４２Ｋにより搬送される転写ベルト４１に多重転写された各色のトナー像を給紙カセット５１から用紙搬送路５２を通って搬送されてくる用紙にベルト搬送ローラ４３１と従動ローラ４３２との圧接回動により転写（二次転写）する転写部４３、転写部４３によって上記各色のトナー像が転写された用紙を通過させて該用紙上に該各色のトナー像を定着する閃光定着装置４４、閃光定着装置４４で各色のトナー像が定着された用紙を排出する排紙トレイ４５、転写部４３での転写（二次転写）後に転写ベルト４１上に残ったトナーを掻き落とすクリーニングブレード４６が設けられる。
【００３４】
画像形成部１３において、図１に示す画像処理部１２のスクリーン処理部１２５から出力される印刷データ（ドットサイズ制御部１２６により最小ドットサイズが制御された網点画像データ）は各色成分毎にそれぞれ対応する色の画像形成ユニット３０Ｙ，３０Ｍ，３０Ｃ，３０Ｋに入力される。
【００３５】
画像形成ユニット３０Ｙ，３０Ｍ，３０Ｃ，３０Ｋでは、入力された各色成分の印刷データに基づいて電子写真プロセスが実施され、それぞれ、感光体ドラム３２Ｙ，３２Ｍ，３２Ｃ，３２Ｋ上に該当する色のトナー像が形成され、これら各色のトナー像が矢印方向に搬送される転写ベルト４１上に重ね合わせて転写された後、該転写ベルト４１が転写部４３に達するタイミングに、給紙カセット５１から用紙搬送路５２を通って搬送されてくる用紙上に転写される。
【００３６】
上記電子写真プロセスを経て各色トナー画像が多重積層された状態で転写、形成された用紙は、その後、閃光定着装置４４を通過するように搬送される。
【００３７】
閃光定着装置４４は、光源として、例えば、キセノンランプ４４１が用いられ、各色のトナーが多重積層状態に転写された用紙が通過する所定のタイミングで制御部１６の発光駆動部１６１によりキセノンランプ４４１が発光駆動され、該キセノンランプ４４１から発生する閃光により各色のトナー像を溶融せしめて用紙上に定着させる。
【００３８】
閃光による各色トナー像定着後の用紙は、更に搬送され、排紙トレイ４５へと排紙される。
【００３９】
図３は、閃光定着装置４４の光源として用いられるキセノンランプ４４１の発光強度の分光波長（閃光スペクトル）の分布と、キセノンランプ４４１の発光（閃光）に対するＹ，Ｍ，Ｃ，Ｋの各色トナー像の分光反射率（光が吸収されず反射される波長毎の比率）の分布を示す図である。
【００４０】
図３において、キセノンランプ４４１の閃光スペクトルは符号“Ｓｆ１”で示す如くの分布となる。
【００４１】
一方、キセノンランプ４４１が発する閃光に対するＹ，Ｍ，Ｃ，Ｋの各色トナー像の分光反射率は、それぞれ、符号“Ｒｙ”，“Ｒｍ”，“Ｒｃ”，“Ｒｋ”で示す分布となる。
【００４２】
従がって、キセノンランプ４４１の閃光に対するＹ，Ｍ，Ｃ，Ｋ各色のトナー像における光吸収率は、例えば、図４にその特性を示すように、Ｋ（Ｂｌａｃｋ）色が一番大きく、Ｍ（Ｍａｇｅｎｔａ）色、Ｃ（Ｃｙａｎ）色、Ｙ（Ｙｅｌｌｏｗ）色の順に低下する。
【００４３】
図４の例によれば、Ｋ色のトナー像の閃光吸収率が９０パーセントを超えるレベルの時、Ｍ色とＣ色の各トナーの閃光吸収率が６０パーセント弱であり、更に、Ｙ色のトナーの閃光吸収率は５０パーセント弱のレベルである。
【００４４】
一方、スクリーン処理部１２５で生成される網点画像データに基づき用紙上に形成される各色のトナー像の閃光定着プロセスを考えると、トナーの閃光吸収率（図４参照）に対する温度上昇は、Ｙ，Ｍ，Ｃ，Ｋの各色毎に、トナーが隙間なく分布する網点面積率（Ｃｉｎ）が１００パーセントの領域（いわゆるベタ領域）が最も高く、ドットが分散する低Ｃｉｎ領域（いわゆるハイライト領域）で低くなる。
【００４５】
その理由は、ドットが分散する（Ｃｉｎの値が所定値よりも低い）ハイライト領域ではトナーの温度上昇に比べ、周囲の用紙への熱拡散が大きくなるためであると考えられる。
【００４６】
従って、一定の閃光発光条件下では、Ｋ色のベタ領域のトナーと、Ｙ色のハイライト領域のトナーとでは温度に大きな差を生じ、定着性の差を生じ易い。
【００４７】
特に、閃光吸収率が他の色に比べて低いＹ色（図４参照）については、ハイライト領域の定着性が低下し、表面を摩擦した際に、トナーが容易に剥離する危険性もある。
【００４８】
本実施の形態では、上記実情に鑑み、スクリーン処理において、閃光吸収率の低いＹ色などに対しては、階調の再現が開始される際のドットサイズ（以下、最小ドットサイズという）を相対的に大きくすることで、これらＹ色などのトナーのハイライト領域での閃光定着性の差を抑制するものである。
【００４９】
以下、各色トナー像間の閃光定着性のバランス改善を実現する本実施の形態の中間調画像処理（ハーフトーンスクリーン処理）について各実施例を挙げて詳しく説明する。
【実施例１】
【００５０】
実施例１に係わるプリンタ１０は図１に示した機能構成から成り、図５に示すフローチャートに沿った印刷処理動作を行う。
【００５１】
図５に示すように、プリンタ１０は、待機中、コマンド解析部１２１が、ＰＣ９からのコマンドが受信されたか否かを監視している（ステップＳ１０１）。
【００５２】
ここで、ＰＣ９からコマンドが受信されると（ステップＳ１０１ＹＥＳ）、コマンド解析部１２１は、該コマンドを解析し、該コマンドが印刷命令であるか否かを判定する（ステップＳ１０２）。
【００５３】
ここで、コマンドが印刷命令でないと判定された場合（ステップＳ１０２ＮＯ）、該コマンドに応じた動作制御を開始し（ステップＳ１１１）、該動作の完了により当該動作の制御を終了する。
【００５４】
これに対し、コマンドが印刷命令であると判定された場合（ステップＳ１０２ＹＥＳ）、該コマンドに含まれる印刷対象の文書データ（ＰＤＬデータ）に基づく印刷処理（ステップＳ１０３〜Ｓ１０７）に移行する。
【００５５】
この印刷処理に移行すると、まず、描画部１２２が、印刷対象の文書データ（ＰＤＬデータ）をレンダリングし、Ｒ，Ｇ，Ｂの各色成分から成るビットマップ画像（ラスタ画像）に展開する（ステップＳ１０３）。
【００５６】
次いで、色変換部１２３は、上記Ｒ，Ｇ，Ｂのビットマップ画像データをＹ，Ｍ，Ｃ，Ｋの各色成分から成る画像データに色変換する（ステップＳ１０４）。
【００５７】
引き続き、階調補正部１２４は、色変換部１２３により色変換されたＹ，Ｍ，Ｃ，Ｋの画像データを階調補正し（ステップＳ１０５）、該階調補正後の画像データ（ラスタ画像データ）をスクリーン処理部１２５に入力する。
【００５８】
スクリーン処理部１２５は、階調補正部１２４から入力する階調補正後の各色成分の画像データを当該各色成分毎にハーフトーンスクリーン（スクリーン）上の各網点に対応する画素（多階調画素）が２値で表された網点画像データに変換する中間調画像処理を実施する（ステップＳ１０６）。
【００５９】
その際、スクリーン処理部１２５は、ドットサイズ制御部１２６により入力画像データの各色成分毎に選択されるスクリーン（各色毎に異なるスクリーン）を用い、該入力画像データを各色成分毎に最小ドットサイズが異なる網点画像（中間調画像）データに変換し、画像形成部１３に送出する。
【００６０】
画像形成部１３は、スクリーン処理部１２５から送られてくるＹ，Ｍ，Ｃ，Ｋの画像データ（網点画像データ）に基づき印刷動作を実施する（ステップＳ１０７）。
【００６１】
この印刷動作においては、上述した如く、Ｙ，Ｍ，Ｃ，Ｋ各色の網点画像データに基づいて画像形成ユニット３０Ｙ，３０Ｍ，３０Ｃ，３０Ｋ毎に電子写真プロセスを実施して各色のトナー像を用紙上に多重転写し、該用紙が閃光定着装置４４を通過する際にキセノンランプ４４１から閃光を照射して用紙上に各色トナー像を定着させ、排出する。
【００６２】
上述したステップ１０６での中間調画像（ハーフトーン）処理において、スクリーン処理部１２５は、ドットサイズ制御部１２６によって入力画像データの各色成分に応じて選択される、Ｋ色に対応する第１のスクリーン、Ｍ色に対応する第２のスクリーン、Ｃ色に対応する第３のスクリーン、及びＹ色に対応する第４のスクリーンを用いる。
【００６３】
これら第１乃至第４の各スクリーンは、後で詳述するＹ色に対応する第４のスクリーンの例（図７〜図９参照）からも分かるように、それぞれ、例えば、Ｎ×Ｍ（Ｎ，Ｍは任意の数）のマトリクス内の各セル（網点：ドット）に対応してドットの成長順位と閾値を割振った構造を有するものである。
【００６４】
そして、ハーフトーン処理においては、変換対象であるラスタ画像データの各色成分（各色版）のＮ×Ｍ個の入力画素（多値階調画素）領域毎に対応する色のスクリーンを順次敷き詰め、該スクリーンの各セル位置毎に該セル位置の入力画素値（階調値）が当該セル位置の閾値を超えている場合には当該階調値を“１”に、超えていない場合には当該階調値を“０”にそれぞれ変換する処理を行う。
【００６５】
これら第１乃至第４の各スクリーンは、実際には、マトリクス上の各セル位置に対応するアドレスを格納し、更に、該アドレスに当該セル位置に対応する閾値を格納したルックアップテーブル（図６における第１乃至第４のテーブル）で実現される。
【００６６】
そして、スクリーン処理部１２５は、入力画像データの各入力画素毎に該画素位置に対応するアドレスを取得し、ルックアップテーブルの当該アドレスから閾値を読み出して当該入力画素値と比較しその比較結果に応じて“１”または“０”の２値信号を出力するハーフトーンスクリーン処理を行う。
【００６７】
この点を踏まえ、図５のステップＳ１０６における中間調画像（ハーフトーン）処理の詳細処理動作について図６に示すフローチャートを参照して説明する。
【００６８】
図６において、スクリーン処理部１２５は、階調補正部１２４から処理対象のラスタ画像データが入力されると、ハーフトーン処理の対象色を、例えば、Ｋ、Ｃ、Ｍ、Ｙの切換え順の定義に従がってまず“Ｋ”色に設定する（ステップＳ２０１）。
【００６９】
次に、ドットサイズ制御部１２６は、対象色が“Ｋ”であるか否かをチェックし（ステップＳ２０２ａ）、対象色が“Ｋ”であると判定すると（ステップＳ２０２ａＹＥＳ）、Ｋ色に対応して予め用意されている第１のテーブルを選択し（ステップＳ２０３）、ステップＳ２０７以降のハーフトーン処理を実行する。
【００７０】
すなわち、ハーフトーン処理部１２５は、ステップＳ２０３で第１のテーブルを選択後、対象色“Ｋ”の入力画像（ラスタ画像）データ中の最初の画素の画素値を取り込む（ステップＳ２０７）と共に、予め設定しておいた情報中から当該画素の画素位置、スクリーンセルのセルサイズなどの情報を取得し（ステップＳ２０８）、該取得した情報と該画素の画素値（入力画素値）を基に第１のテーブルのアドレスを生成する（ステップＳ２０９）。
【００７１】
次いで、該アドレスに基づき第１のテーブルを参照し（ステップＳ２１０）、該アドレスに対応する出力画素値を第１のテーブルから読み出し、該読み出した出力画素値（閾値）と入力画素値と比較してその比較結果に応じて２値の出力画素値（網点画像データ）を決定し、画像形成部１３に出力する（ステップＳ２１１）。
【００７２】
引き続き、スクリーン処理部１２５は次の画素があるか否かをチェックし（ステップＳ２１２）、次の画素がある場合には（ステップＳ２１２ＹＥＳ）、ステップＳ２０７〜Ｓ２１１を経て第１のテーブルを用いて当該入力画素値に対する２値の出力画素値（網点画像データ）を決定し、画像形成部１３に出力する（ステップＳ２１１）。
【００７３】
上記ステップＳ２０７からＳ２１１までの処理を、次の画素がある限り（ステップＳ２１２ＹＥＳ）続行し、この間、次の画素がないと判定された場合（ステップＳ２１２ＮＯ）、未処理の色があるか否かをチェックし（ステップＳ２１３）、未処理の色“Ｃ”があれば（ステップＳ２１３ＹＥＳ）、当該色“Ｃ”を対象色に設定する（ステップＳ２０１）。
【００７４】
その後、対象色が“Ｃ”であると判定されると（ステップＳ２０２ｂＹＥＳ）、第２のテーブルを選択したうえで（ステップＳ２０４）、ステップ２０７〜Ｓ２１２を経て当該Ｃ色成分の各入力画素値を上記第２のテーブルを用いて２値の各出力画素値に変換する処理を行う。
【００７５】
Ｃ色成分の全入力画素値の２値出力画素値（網点画像データ）への変換が終わると（ステップＳ２１２ＮＯ）、未処理の色“Ｍ”があると判定されて（ステップＳ２１３ＹＥＳ）、当該未処理の色“Ｍ”を対象色に設定する（ステップＳ２０１）。
【００７６】
その後、対象色が“Ｍ”であると判定されると（ステップＳ２０２ｃＹＥＳ）、第３のテーブルを選択したうえで（ステップＳ２０５）、ステップ２０７〜Ｓ２１２を経て当該Ｍ色成分の各入力画素値を上記第３のテーブルを用いて２値の各出力画素値に変換する処理を行う。
【００７７】
Ｍ色成分の全入力画素値の２値出力画素値（網点画像データ）への変換が終わると（ステップＳ２１２ＮＯ）、未処理の色“Ｙ”があると判定されて（ステップＳ２１３ＹＥＳ）、当該未処理の色“Ｙ”を対象色に設定する（ステップＳ２０１）。
【００７８】
その後、対象色が“Ｙ”であると判定されると（ステップＳ２０２ｃＮＯ）、第４のテーブルを選択したうえで（ステップＳ２０６）、当該Ｙ色成分の全ての入力画素値を上記第４のテーブルを用いて２値の出力画素値に変換する処理を行う（ステップ２０７〜Ｓ２１２を経て）。
【００７９】
Ｙ色成分の全入力画素値の２値出力画素値（網点画像データ）への変換が終わると（ステップＳ２１２ＮＯ）、未処理の色がないと判定されて（ステップＳ２１３ＮＯ）、一連のハーフトーン処理が終了する。
【００８０】
次に、Ｙ色のハーフトーン処理で用いる第４のスクリーン（図６で述べた第４のテーブルに対応する）の具体例について説明する。
【００８１】
図７は、Ｙ色成分の画像データを対象にしてハイライト部での最小ドットサイズ（同図に斜線で示す領域のサイズ）が１ドットの網点画像変換を実現できるスクリーンＳｃ１の例を示しており、同図（ａ）に示す成長順位マトリクスによって設定される１番から３６番目までの成長順位に対応して、同図（ｂ）に示す閾値マトリクスによって上記各成長順位に対応する閾値が関連付けて設定される。
【００８２】
図８は、Ｙ色成分の画像データを対象にしてハイライト部での最小ドットサイズ（同図に斜線で示す領域のサイズ）が２ドットの網点画像変換を実現できるスクリーンＳｃ２の例を示しており、同図（ａ）に示す成長順位マトリクスによって設定される１番から３６番目までの成長順位（成長順位の１番から３６番がそれぞれ２つずつ存在する）に対応して、同図（ｂ）に示す閾値マトリクスによって上記各成長順位に対応する閾値が関連付けて設定される。
【００８３】
図９は、Ｙ色成分の画像データを対象にしてハイライト部での最小ドットサイズ（同図に斜線で示す領域のサイズ）が４ドットの網点画像変換を実現できるスクリーンＳｃ３の例を示しており、同図（ａ）に示す成長順位マトリクスによって設定される１番から３６番目までの成長順位（成長順位の１番から３６番がそれぞれ４つずつ存在する）に対応して、同図（ｂ）に示す閾値マトリクスによって上記各成長順位に対応する閾値が関連付けて設定される。
【００８４】
ここで、例えば、各画素の画素値が図１０に示す値を有する入力画像データＤ１のＹ色成分のデータＤ１ｙを上述したスクリーンＳｃ１、Ｓｃ２、Ｓｃ３を用いてＹ色網点画像に変換する場合の処理について考えてみる。
【００８５】
この場合、例えば、入力画像データＤ１のＹ色成分のデータＤ１ｙに対してスクリーンＳｃ１が選択されると、該選択されたスクリーンＳｃ１が、例えば、図１１に示す如くＹ色成分のデータＤ１ｙ上に敷き詰められる。
【００８６】
この時、データＤ１ｙにおける各セル位置の画素値と敷き詰めたスクリーンＳｃ１上の対応するセル位置の画素値を比較した結果、図１２に示す如くのＹ色の網点画像データＤ２ｙ−１が得られる。
【００８７】
図１２において、Ｙ色の網点画像データＤ２ｙ−１中、画素値“１”の値を有する黒のドットは、対応するセル位置で入力画素値が閾値よりも大きいドットであり、この例の最小ドットのサイズは１ドットとなっている。
【００８８】
これにより、図１０に示す各画素値を有する入力画像データＤ１の場合は、スクリーンＳｃ１を用いるＹ色成分のデータＤ１ｙのハーフトーン処理に際しては、図１２に示すように、既存のプリンタと同様、ハイライト領域について最小ドットサイズが１ドットのハーフトーン画像を形成することができる。
【００８９】
また、入力画像データＤ１のＹ色成分のデータＤ１ｙに対してスクリーンＳｃ２が選択されると、該選択されたスクリーンＳｃ２が、例えば、図１３に示す如くＹ色成分のデータＤ１ｙ上に敷き詰められる。
【００９０】
この時、データＤ１ｙにおける各セル位置の画素値と敷き詰めたスクリーンＳｃ２上の対応するセル位置の画素値を比較した結果、図１４に示す如くのＹ色の網点画像データＤ２ｙ−２が得られる。
【００９１】
すなわち、図１０に示す各画素値を有する入力画像データＤ１の場合は、スクリーンＳｃ２を用いるＹ色成分のデータＤ１ｙのハーフトーン処理に際しては、図１４に示すように、ハイライト領域について最小ドットサイズが２ドットのハーフトーン画像を形成することができる。
【００９２】
また、入力画像データＤ１のＹ色成分のデータＤ１ｙに対してスクリーンＳｃ３が選択されると、該選択されたスクリーンＳｃ３が、例えば、図１５に示す如くＹ色成分のデータＤ１ｙ上に敷き詰められる。
【００９３】
この時、データＤ１ｙにおける各セル位置の画素値と敷き詰めたスクリーンＳｃ３上の対応するセル位置の画素値を比較した結果、図１６に示す如くのＹ色の網点画像データＤ２ｙが得られる。
【００９４】
すなわち、図１０に示す各画素値を有する入力画像データＤ１の場合は、スクリーンＳｃ３を用いるＹ色成分のデータＤ１ｙのハーフトーン処理に際しては、図１６に示すように、ハイライト領域について最小ドットサイズが４ドットのハーフトーン画像を形成することができる。
【００９５】
図７〜図１６においては、Ｙ色成分の画像データＤ１ｙを対象にスクリーンＳｃ１、Ｓｃ２及びＳｃ３を選択的に適用することによりＹ色の網点画像中の最小ドットサイズを変える場合の例について説明した。
【００９６】
本実施例に係わるプリンタ１０の実際の運用においては、Ｙ色に対応するスクリーン（図６で述べた第４のテーブルに相当）として、図９に例示した構造〔スクリーン角が、例えば、“０（零）”度〕を有するスクリーンＳｃ３（以下、ＹＳｃという）を用いる。
【００９７】
これに対し、Ｋ、Ｃ及びＭの各色成分の対応する各スクリーン（図６で述べた第１、第２及び第３の各テーブルに相当）としては、Ｙ色に対応するスクリーンＹＳｃ（図９参照）とはスクリーン角が互いに異なる以下のスクリーンを用いる。
【００９８】
例えば、Ｋ色に対応するスクリーンとしては、スクリーン角度が、４５度で、図７に例示したスクリーンＳｃ１の如く最小ドットサイズを１ドットとし得るスクリーン（つまり、Ｙ色対応のスクリーンＳｃ１に対して４５度の角度を持たせたスクリーン）ＫＳｃを用いる。
【００９９】
また、Ｃ色に対応するスクリーンとしては、スクリーン角度が、例えば、１５度で、図８に例示するスクリーンＳｃ２の如く最小ドットサイズを２ドットとし得るスクリーン（つまり、Ｙ色対応のスクリーンＳｃ２に対して１５度の角度を持たせたスクリーン）ＣＳｃを用いる。
【０１００】
同じく、Ｍ色に対応するスクリーンとしては、スクリーン角度が、例えば、７５度で、図８に例示するスクリーンＳｃ２の如く最小ドットサイズを２ドットとし得るスクリーン（つまり、Ｙ色対応のスクリーンＳｃ２に対して７５度の角度を持たせたスクリーン）ＭＳｃを用いる。
【０１０１】
但し、本実施例では、簡単のため、スクリーンＫＳｃ、ＣＳｃ、ＭＳｃの具体的なスクリーン構造については図示を省略している（スクリーン角が０度のスクリーンＹＳｃに比べて他のスクリーン角を有するスクリーンＫＳｃ、ＣＳｃ、ＭＳｃではセルサイズが大きくて図示するのが困難であるため）。
【０１０２】
上述した各色成分毎のスクリーン選択適用を実現すべく、本実施例のプリンタ１０では、例えば、スクリーン処理部１２５内に上述したＫ色に対応するスクリーンＫＳｃ、Ｃ色に対応するスクリーンＣＳｃ、Ｍ色に対応するスクリーンＭＳｃ、及びＹ色に対応するスクリーンＹＳｃが用意される。
【０１０３】
そして、各色成分を有する画像データＤ１（図１０参照）が階調補正部１２４から入力すると、ドットサイズ制御部１２６が、そのうちのＹ色成分のデータＤ１ｙに対してスクリーンＹＳｃ（図９のスクリーンＳｃ３に相当）を選択し、該選択されたスクリーンＹＳｃが、例えば、図１５に示す如くＹ色成分のデータＤ１ｙ上に敷き詰められる。
【０１０４】
この時、Ｙ色成分のデータＤ１ｙにおける各セル位置の画素値と敷き詰めたスクリーンＹＳｃ上の対応するセル位置の画素値を比較した結果、図１６に示す如くのＹ色の網点画像データＤ２ｙが得られる。
【０１０５】
すなわち、入力画像データ（図１０参照）に対してスクリーンＹＳｃを選択、適用したＹ色成分のデータＤ１ｙのハーフトーン処理に際しては、図１６に示すように、ハイライト領域について最小ドットサイズが４ドットのハーフトーン画像〔図１７（ａ）のＹ色中間調パターンも参照〕を形成することができる。
【０１０６】
これに対し、画像データＤ１のうちのＣ色成分のデータＤ１ｃに対してドットサイズ制御部１２６はスクリーンＣＳｃを選択する。
【０１０７】
そして、スクリーン処理部１２５では、該選択されたスクリーンＣＳｃをＣ色成分のデータＤ１ｃ上に敷き詰め、該Ｃ色成分のデータＤ１ｃにおける各セル位置の画素値と敷き詰めたスクリーンＣＳｃ上の対応するセル位置の画素値を比較結果に応じて“１”または“０”の値を有するＣ色の網点画像データＤ２ｃを生成して出力する。
【０１０８】
また、入力画像データＤ１のうちのＭ色成分のデータＤ１ｍに対してドットサイズ制御部１２６はスクリーンＭＳｃを選択する。
【０１０９】
そして、スクリーン処理部１２５では、該選択されたスクリーンＭＳｃをＭ色成分のデータＤ１ｍ上に敷き詰め、該Ｍ色成分のデータＤ１ｍにおける各セル位置の画素値と敷き詰めたスクリーンＭＳｃ上の対応するセル位置の画素値を比較結果に応じて“１”または“０”の値を有するＭ色の網点画像データＤ２ｍを生成、出力する。
【０１１０】
図１６に示すＹ色の網点画像データＤ２ｙの例からも分かるように、スクリーンＣＳｃを用いて生成されるＣ色成分のデータＤ２ｃ中、あるいは、スクリーンＭＳｃを用いて生成されるＭ色成分のデータＤ２ｍ中、対応するセル位置で入力画素値が閾値よりも大きいドットは黒のドットとなり、対応するセル位置で入力画素値が閾値よりも小さいドットは白のドットとなる。
【０１１１】
ここで、スクリーンＣＳｃ、ＭＳｃは、上述した如く、最小ドットサイズを２ドットとし得るＹ色に対応するスクリーンＳｃ２（図８参照）に、各々対応する角度（例えば、１５度、７５度）を持たせたものである。
【０１１２】
これにより、入力画像データＤ１（図１０参照）に対してスクリーンＣＳｃを選択、適用したＣ色成分のデータＤ１ｃのハーフトーン処理、あるいは、スクリーンＭＳｃを選択、適用したＭ色成分のデータＤ１ｍのハーフトーン処理に際しては、それぞれ、ハイライト領域について最小ドットサイズが２ドットのハーフトーン画像〔図１７（ａ）のＭ、Ｃ各色中間調パターン参照〕を形成することができる。
【０１１３】
また、入力画像データＤ１のうちのＫ色成分のデータＤ１ｋに対してドットサイズ制御部１２６はスクリーンＫＳｃを選択する。
【０１１４】
そして、スクリーン処理部１２５では、該選択されたスクリーンＫＳｃをＫ色成分のデータＤ１ｋ上に敷き詰め、該Ｋ色成分のデータＤ１ｋにおける各セル位置の画素値と敷き詰めたスクリーンＫＳｃ上の対応するセル位置の画素値を比較結果に応じて“１”または“０”の値を有するＫ色の網点画像データＤ２ｋを生成、出力する。
【０１１５】
ここで、スクリーンＫＳｃは、上述した如く、最小ドットサイズを１ドットとし得るＹ色に対応するスクリーンＳｃ１（図７参照）に角度（例えば、４５度）を持たせたものである。
【０１１６】
これにより、入力画像データに対してスクリーンＫＳｃを選択、適用したＫ色成分のデータＤ１ｋのハーフトーン処理に際しては、ハイライト領域について最小ドットサイズが１ドットのハーフトーン画像〔図１７（ａ）のＫ色中間調パターン参照〕を形成することができる。
【０１１７】
上述したように、本実施例のプリンタ１０は、ハイライト領域における網点の最小サイズが１ドットであるＫ色成分対応のスクリーンＫＳｃ、網点の最小サイズがそれぞれ２ドットであるＣ色成分対応のスクリーンＣＳｃ、Ｍ色成分対応のスクリーンＭＳｃ、網点の最小サイズが４ドットであるＹ色成分対応のスクリーンＹＳｃを有し、ドットサイズ制御部１２６は、Ｋ色成分のラスタ画像データに対してはスクリーンＫＳｃの選択を指示し、スクリーン処理部１２５が該スクリーンＫＳｃ１を用いて網点の最小サイズが１ドットの黒色成分網点画像データに変換する。
【０１１８】
また、Ｃ色、及びＭ色の各色成分のラスタ画像データに対しては、それぞれ、スクリーンＣＳｃ、及びＭＳｃの選択を指示し、スクリーン処理部１２５が該スクリーンＭＳｃ、及びＣＳｃを用いて、網点の最小サイズがともに２ドットのマゼンタ、及びシアンの各色成分の網点画像データに変換する。
【０１１９】
また、Ｙ色成分のラスタ画像データに対してはスクリーンＹＳｃの選択を指示し、スクリーン処理部１２５が該スクリーンＹＳｃを用いて網点の最小サイズが４ドットのＹ色成分の網点画像データに変換する。
【０１２０】
図１７は、本実施例に係るプリンタ１０の中間調画像処理によって形成されるハイライト部における中間調パターン（ドット配置パターン）の例を示す概念図である。
【０１２１】
図１７（ａ）は、本実施例に係る中間調パターンを示し、上から順にＣ色、Ｍ色、Ｙ色、Ｋ色について各色成分毎に同一濃度の領域を網点画像に変換した際のドットの配置を示している。
【０１２２】
また、図１７（ｂ）は、本実施例に係る中間調パターンと比較する意味で、従来装置で用いる各色成分毎の中間調パターン（ドット配置パターン）の例を示している。
【０１２３】
従来の中間調パターン〔図１７（ｂ）参照〕は、Ｃ、Ｍ、Ｙ、Ｋのいずれの色も最小ドットサイズが１ドットの網点画像（但し、スクリーン角は互いに異なる）変換がなされる。
【０１２４】
これに対し、本実施例に係る中間調パターンは、閃光吸収率の高いＫ色については最小ドットサイズを従来通り１ドットのまま、Ｍ色、Ｃ色については最小ドットサイズを２ドットとし、Ｙ色については最小ドットサイズを４ドットとしている。
【０１２５】
前述したように、閃光定着装置（閃光定着装置４４）の閃光定着プロセスにおいては、最小ドットサイズが小さいほどトナーの温度上昇に比べて周囲の用紙への熱拡散が大きい性質があり、閃光吸収率の小さいＭ色やＣ色、更に閃光吸収率の小さいＹ色では上記熱拡散が大きい。
【０１２６】
この点に関し、閃光吸収率の小さいＭ色、Ｃ色について最小ドットサイズをＫ色の２倍とし、更に閃光吸収率の小さいＹ色について最小ドットサイズをＫ色の４倍とする本実施例の構成によれば、Ｍ色やＣ色、あるいはＹ色においても、これら各色の閃光吸収に伴う温度上昇時、周囲の用紙への熱拡散を低減し溶融熱を確保して定着の安定化を図ることができる。
【０１２７】
図１８は、本実施例のプリンタ１０の中間調画像処理において、Ｍ色のトナーを対象に最小ドットサイズの異なる中間調パターンを用いた場合のＣｉｎ５パーセントにおける摩擦試験でのトナー剥離率の測定結果の一例を示す特性図である。
【０１２８】
図１８に示す特性図からも分かるように、本実施例では、最小ドットサイズが１ドットの時には剥離率が２５パーセントであったものが、Ｍ色のトナーにおける最小ドットサイズの異なる中間調パターンを用いて最小ドットサイズを２ドット、３ドット、４ドットと大きくするにつれて、剥離率が２０パーセント弱、１５パーセント弱、１０パーセント弱へと改善されることが立証された。
【０１２９】
Ｃ色についても、Ｍ色と同様に、最小ドットサイズを２ドットとすることで、周囲の用紙への熱拡散を低減して定着率向上（剥離率低下）が図れる。また、Ｙ色についても、例えば、最小ドットサイズを４ドットとすることで定着率の向上（剥離率低下）が図れる。
【０１３０】
なお、本実施例において、Ｍ色やＣ色、あるいはＹ色のように最小ドットサイズを大きくする場合、ハイライト部でのドット周期が大きくなる。
【０１３１】
このドット周期の拡大処理に際して、規則的に大きくした場合〔図１７（ａ）参照〕には、人の目の空間周波数特性上、Ｙ色ではほとんど目につかないが、Ｃ色、Ｍ色などでは、本来のドット周期より低周波の周期性により、その粗さが目につくことがある〔図１９（ｂ）参照〕。
【０１３２】
このための対策としては、最小ドットサイズを大きくする際に、ドット周期を規則的に大きくするのではなく、比較的不規則（ランダム）なドット配置を実現し得るスクリーンを用意して網点画像変換を行う方法が考えられる。
【０１３３】
ここでいう、ランダムなドット配置とは、例えば、特開２００２−４４４４５号公報等においても知られるブルーノイズ特性を有するドット配置を意味する。
【０１３４】
そこで、本実施例の変形例としては、上述したブルーノイズ特性を有する比較的ランダムなドット配置を実現する（網点面積率が所定値より低い領域内の網点の配列がランダムな）スクリーンを、例えば、Ｍ色、Ｃ色に対応して用意し、ドットサイズ制御部１２６が、入力画像データ中のＭ色成分とＣ色成分の各色成分の画像データ（網点の最小サイズを大きくする色成分の網点画像データ）に対して上記スクリーンを用いてハーフトーン処理を施す構成が考えられる。
【０１３５】
図１９（ａ）は本実施例の変形例に係るＭ色の中間調パターンのドット配置を示す概念図である。
【０１３６】
なお、図１９では、同図（ａ）におけるＭ色の中間調パターンのドット配置に対比する意味で、この種の従来装置で用いるＭ色の中間調パターンのドット配置の例を合わせ例示している。
【０１３７】
図１９においては、同図（ｂ）に示す既存の中間調パターンでは、ドットの配置が規則的でかつ最小ドットサイズが１ドットであるのに対して、本実施例の変形例においては、図１９（ａ）に示すように、Ｍ色の低Ｃｉｎ領域において最小ドット配置が２ドット分に大きくされ、かつ、そのドット配置はランダムなドット配置、つまりブルーノイズ特性を有するドット配置であって、Ｍ色の最小ドットサイズを２ドットとしても、人の目には粗さとして目立ち難くできる。
【０１３８】
以上の如く、本実施例では、各色成分毎に異なるスクリーン用い、閃光吸収率が低い色成分の網点の最小ドットサイズを光吸収率の高い色成分の網点の最小ドットサイズより大きくする中間調画像処理機能（ドットサイズ制御部１２６）を備えることにより、閃光吸収率の異なる各色のトナーを用いてカラー画像を形成する際、用紙上に転写された各色トナー像間の閃光定着性のバランスを改善できる。
【実施例２】
【０１３９】
実施例１で述べたように、図３の特性図中、符号Ｒｙ、Ｒｍ、Ｒｃ及びＲｙで示される分光反射率を有するＹ、Ｍ、Ｃ及びＹの各色トナーに対して、符号Ｓｆ１で示される発光スペクトルを有する一般的なキセノンランプ４４１で閃光を照射して定着を行うと、各色トナーの閃光吸収率は図４に示す値となる。
【０１４０】
このようにＫ＞Ｍ，Ｃ＞Ｙという閃光吸収率を有する各色のトナーを対象に、実施例１においては、例えば、上記各色成分のラスタ画像データのスクリーン処理時に最小ドットサイズをＹ＞Ｍ，Ｃ＞Ｋの関係に制御することにより、閃光吸収率が低い色についても定着性の改善を図っている。
【０１４１】
これに対して、実施例２では、閃光定着装置４４のキセノンランプ４４１の発光を制御することでトナーの閃光吸収率を上げること（定着性を改善すること）ができるとの観点から、図３の特性図中、Ｍ色とＣ色とが可視領域（５８０ｎｍ近傍）に共通の吸収スペクトル領域を有することに着目した。
【０１４２】
すなわち、本実施例では、閃光定着装置４４において、Ｍ、及びＣの各色トナーの可視領域に共通の吸収スペクトル領域に発光強度を持たせるようにキセノンランプを発光駆動することを試みた。
【０１４３】
図２０は、キセノンランプ４４１の通常の発光スペクトル（図３の“Ｓｆ１”参照）に加えて、Ｍ、及びＣの各色トナー共通の吸収スペクトル領域（５８０ｎｍ近傍：Ｓｆ２）に発光強度を持たせるように（輝線スペクトルを生じさせる）キセノンランプ４４１を発光駆動した際の発光駆動シミュレーションデータ（発光波長に対する発光強度を表す発光スペクトル特性）を示す図である。
【０１４４】
この発光駆動シミュレーションデータと、図３に示すＹ、Ｍ、Ｃ及びＹの各色トナーの分光反射率とから、改めて各色のトナーの光吸収率を算出すると図２１に示すような結果となる。
【０１４５】
すなわち、図２１は、閃光定着装置４４のキセノンランプを図２０に示す発光スペクトル特性を生じるように発光駆動した際の各色のトナー閃光吸収率を重なり積分から求めた結果を示すものであり、光吸収率の関係はＫ＞Ｍ，Ｃ＞Ｙとなっている。
【０１４６】
ここで、Ｍ、及びＣの各色トナーの閃光吸収率が、キセノンランプ４４１を図３に示す発光スペクトルＳｆ１で発光駆動させていた時（図４参照）と比べて改善されたことに着目し、各色トナーの定着性のバランス改善策として以下の思想に到達した。
【０１４７】
すなわち、本実施例では、明度のコントラストが低いＹ色のみについて、故意に、閃光吸収率を下げて、他の色（Ｍ色、Ｃ色）の閃光吸収率を上げ、Ｍ色、Ｃ色の各色トナーの定着性の改善を図ったうえで、閃光吸収率が低いＹ色については最小ドットサイズを大きくする（Ｋ色等のサイズまで小さくならないようにサイズ規制する）ことでトナーの定着性を確保しようとするものである。
【０１４８】
図２２は、実施例２に係るプリンタ１０Ｂの機能構成を示すブロック図であり、実施例１に係るプリンタ１０と同じ構成要素には同一の符号を付している。
【０１４９】
図２２に示すように、本実施例のプリンタ１０Ｂは、制御部１６ｂに輝線発光駆動部１６１ｂを設けて構成される。
【０１５０】
輝線発光駆動部１６１ｂは、閃光定着装置４４の光源であるキセノンランプ４４１を、例えば、図２０に示すように、Ｍ、及びＣの各色トナー共通の吸収スペクトル領域（５８０ｎｍ近傍）に輝線スペクトルＳｆ２を生じさせる発光スペクトル特性で発光駆動させる制御機能を有する。
【０１５１】
また、中間調画像処理機能部として、スクリーン処理部１２５ｂは、例えば、Ｋ、Ｍ、Ｃ，Ｙの各色にそれぞれ対応する第１、第２、第３及び第４の各スクリーン（図２３における第１、第２、第３及び第４の各テーブルに相当）有し、その中で少なくともＹ色に対応する第４のスクリーンについては、当該Ｙ色成分の網点の最小ドットサイズを他の色成分の網点の最小サイズよりも大きくし得るスクリーンを用意しておき、ドットサイズ制御部１２６ｂは、Ｋ、Ｍ、Ｃ，Ｙの各色成分の画像データに対してそれぞれ第１、第２、第３及び第４の各スクリーンを選択することで、少なくともＹ色成分の網点の最小サイズを他の色成分の網点の最小サイズより大きく保つように網点最小サイズを規制制御する機能を有する。
【０１５２】
図２３は、本実施例に係るプリンタ１０Ｂのハーフトーン処理（図５のステップＳ１０６）動作を示すフローチャートである。
【０１５３】
図２３において、実施例１に係るハーフトーン処理（図６参照）中の各処理ステップと同一の処理ステップには同一の符号を付している。
【０１５４】
図２３の例によれば、ステップＳ２０４ｂ、Ｓ２０５ｂのみ、実施例１（図６）における対応各処理ステップＳ２０４ｂ、Ｓ２０５ｂと異なっている。
【０１５５】
これは、本実施例で用いる第２、第３の各スクリーンが実施例１における第２、第３の各スクリーンと異なっていることに起因する。
【０１５６】
すなわち、本実施例のプリンタ１０Ｂにおいて、Ｋ色に対応する第１のスクリーン（図２３における第１のテーブルに相当）としては、実施例１と同等のスクリーンＫＳｃ（Ｋ色成分の網点の最小画像を１ドットにし得るスクリーン）が用いられ、Ｙ色に対応する第４のスクリーン（図２３における第４のテーブルに相当）についても、実施例１と同等のスクリーンＹＳｃ（図９参照：Ｙ色成分の網点の最小画像を４ドットに規制し得るスクリーン）が用いられる。
【０１５７】
これに対して、Ｃ色に対応する第２のスクリーン（図２３における第２のテーブルに相当）、及びＭ色に対応する第３のスクリーン（図２３における第３のテーブルに相当）としては、実施例１の如く、各色の網点の最小画像を２ドットにするスクリーンＣＳｃ、ＭＳｃではなく、当該Ｃ色、Ｍ色の網点の最小画像をそれぞれ１ドットにする各スクリーンが用いられる。
【０１５８】
従がって、Ｃ色に対応する第２のスクリーン、及びＭ色に対応する第３のスクリーンとしては、Ｋ色に対応する第１のスクリーンと同様、図７に示したＹ色に対応するスクリーンＳｃ１（スクリーン角度は、例えば、０度）に対してそれぞれ該当する角度（例えば、１５度、７５度）を持たせたものを用いることができる。
【０１５９】
上述した第１、第２、第３及び第４の各スクリーンにそれぞれ対応する第１、第２、第３及び第４の各テーブルが、例えば、スクリーン処理部１２５ｂ内に用意された本実施例のプリンタ１０Ｂにおいて、該スクリーン処理部１２５ｂは、入力画像データの各色成分に応じてドットサイズ制御部１２６ｂにより選択される第１、第２、第３及び第４の各テーブルを用いて該当する各色成分のデータに対する図２３に示す如くのハーフトーンスクリーン処理を行う。
【０１６０】
図２３において、スクリーン処理部１２５ｂは、階調補正部１２４からハーフトーン処理対象のラスタ画像データが入力されると、ハーフトーン処理の対象色を最初の色である“Ｋ”色に設定したうえで（ステップＳ２０１）、対象色がＫ，Ｍ，Ｃのいずれかであるか否かをチェックする（ステップＳ２０２ａ，Ｓ２０２ｂ，Ｓ２０２ｃ）。
【０１６１】
ここで、対象色が“Ｋ”であると判定すると（ステップＳ２０２ａＹＥＳ）、ドットサイズ制御部１２６ｂは、Ｋ色に対応して予め用意されている第１のテーブルを選択し（ステップＳ２０３）、スクリーン処理部１２５ｂは、ステップＳ２０７〜Ｓ２１２で当該第１のテーブルを用いてＫ色成分の入力画像データに対するハーフトーン処理（Ｋ色成分の各入力画素値を第１のテーブルを用いて２値の各出力画素値に変換する処理）を実行する。
【０１６２】
対象色“Ｋ”に対するハーフトーン処理が終了すると（ステップＳ２１２ＮＯ）、スクリーン処理部１２５ｂは、未処理の色“Ｃ”があると認識し（ステップＳ２１３ＹＥＳ）、当該色“Ｃ”を対象色に設定する（ステップＳ２０１）。
【０１６３】
その後、対象色が“Ｃ”であると判定されると（ステップＳ２０２ｂＹＥＳ）、Ｃ色に対応する第２のテーブルを選択し（ステップＳ２０４ｂ）、ステップ２０７〜Ｓ２１２で当該第２のテーブルを用いてＣ色成分の入力画像データに対するハーフトーン処理（Ｃ色成分の各入力画素値を第２のテーブルを用いて２値の各出力画素値に変換する処理）を実行する。
【０１６４】
対象色“Ｃ”に対するハーフトーン処理が終了すると（ステップＳ２１２ＮＯ）、スクリーン処理部１２５ｂは、未処理の色“Ｍ”があると認識し（ステップＳ２１３ＹＥＳ）、当該色“Ｍ”を対象色に設定する（ステップＳ２０１）。
【０１６５】
その後、対象色が“Ｍ”であると判定されると（ステップＳ２０２ｃＹＥＳ）、Ｍ色に対応する第３のテーブルを選択し（ステップＳ２０５ｂ）、ステップ２０７〜Ｓ２１２で当該第３のテーブルを用いてＭ色成分の入力画像データに対するハーフトーン処理（Ｍ色成分の各入力画素値を第３のテーブルを用いて２値の各出力画素値に変換する処理）を実行する。
【０１６６】
対象色“Ｍ”に対するハーフトーン処理が終了すると（ステップＳ２１２ＮＯ）、スクリーン処理部１２５ｂは、未処理の色“Ｙ”があると認識し（ステップＳ２１３ＹＥＳ）、当該色“Ｙ”を対象色に設定する（ステップＳ２０１）。
【０１６７】
その後、対象色が“Ｙ”であると判定されると（ステップＳ２０２ｃＮＯ）、ドットサイズ制御部１２６ｂは、第４のテーブルを選択し（ステップＳ２０６）、スクリーン処理部１２５ｂは、ステップ２０７〜Ｓ２１２で当該第４のテーブルを用いてＹ色成分の入力画像データに対するハーフトーン処理（Ｙ色成分の各入力画素値を第４のテーブルを用いて２値の各出力画素値に変換する処理）を実行する。
【０１６８】
対象色“Ｙ”に対するハーフトーン処理が終了すると（ステップＳ２１２ＮＯ）、スクリーン処理部１２５ｂは、未処理の色ないことを認識し（ステップＳ２１３ＹＥＳ）、一連のハーフトーン処理を終了する。
【０１６９】
図２３に示すハーフトーン処理機能を有する本実施例のプリンタ１０Ｂによれば、例えば、図１０に示す各画素値を有する画像データＤ１の入力時、Ｋ，Ｍ及びＣの各色成分の入力画像データのハーフトーン処理に際しては、それぞれ、第１、第２、第３のテーブルで実現される第１、第２、第３のスクリーンを用いて、ハイライト領域について最小ドットサイズが１ドットのＫ色、Ｍ色、Ｃ色の各ハーフトーン画像〔図１２参照：但し、図１２に示すＹ色のハーフトーン画像とはスクリーン角（この例では、Ｋ色は４５度、Ｍ色が７５度、Ｃ色が１５度）が異なる〕を形成することができる。
【０１７０】
また、同じく画像データＤ１の入力時、第４のテーブルにより実現される第４のスクリーン（ＹＳｃ：図９参照）を用いるＹ色成分の入力画像データのハーフトーン処理に際して、例えば、図１６に示すように、ハイライト領域について最小ドットサイズが４ドットのハーフトーン画像を形成することができる。
【０１７１】
なお、図２３に示すハーフトーン処理では、Ｋ，Ｃ，Ｍの各色成分のラスタ画像データに対しては第１、第２、第３の各スクリーンを用いて網点の最小サイズが１ドットのＫ，Ｃ，Ｍの各色成分網点画像データに変換し、Ｙ色成分のラスタ画像データに対しては第４のスクリーン（ＹＳｃ：図９参照）を用いて網点の最小サイズが４ドットのＹ色成分網点画像データに変換することにより、網点の最小サイズをＫ，Ｍ，Ｃ＞Ｙに制御する例を挙げたが、変形例としては、網点の最小サイズをＫ＞Ｍ，Ｃ＞Ｙに制御するようにしても良い。
【０１７２】
この変形例の構成については、例えば、ハイライト領域における網点の最小サイズが１ドットであるＫ色対応の第１のスクリーン、網点の最小サイズがそれぞれ２ドットであるＣ色用の第２のスクリーンとＭ色対応の第３のスクリーン、網点の最小サイズが４ドットであるＹ色用の第４のスクリーンを用意し、ドットサイズ制御部１２６ｂが、Ｋ色成分のラスタ画像データに対しては第１のスクリーンを、Ｃ色成分のラスタ画像データに対しては第２のスクリーンを、Ｍ色成分のラスタ画像データに対しては第３のスクリーンを、Ｙ色成分のラスタ画像データに対しては第４のスクリーンをそれぞれ選択し、スクリーン処理部１２５ｂは、第１のスクリーンを用いて網点の最小サイズ１ドットのＫ色成分網点画像データを生成し、第２のスクリーンを用いて網点の最小サイズ２ドットのＣ色成分網点画像データを生成し、第３のスクリーンを用いて網点の最小サイズ２ドットのＭ色成分網点画像データを生成し、第４のスクリーンを用いて網点の最小サイズ４ドットのＹ色成分網点画像データを生成する構成とすれば良い。
【０１７３】
また、この変形例に係るスクリーン処理部１２５ｂ及びドットサイズ制御部１２６ｂによるハーフトーン処理については、例えば、図６に示すフローチャートと同等の処理の流れによって実現できる。
【０１７４】
図２３に示すハーフトーン処理内容からも分かるように、本実施例では、閃光定着装置４４のキセノンランプ４４１の発光条件を選択することでＭ色とＣ色の閃光吸収率を上げ、これら各色対応のスクリーンについては最小ドットの大きさを変えることなく定着性を向上させる条件下で、Ｙ色のスクリーンについては最小ドットの大きさを規制する。
【０１７５】
通常、濃度が低くなるとドットのサイズを小さくしていくが、それをある濃度領域で規制し、ドットを間引くことである領域の濃度を下げていく処理を行うものである。
【０１７６】
図２４は、本実施例で用いるＹ色用スクリーンによるスクリーン成長パターン〔同図（ａ）〕と通常のＹ色用スクリーンによるスクリーン成長パターン〔同図（ｂ）〕の構成を比較して示す概念図である。
【０１７７】
図２４（ａ）に示す本実施例に係わるＹ色スクリーン成長パターンは、濃度がある程度低下した領域で最小ドットのサイズが規制される（例えば、最小４ドットに保たれる）のに対して、同図（ｂ）に示す従来のＹ色スクリーン成長パターンでは本実施例の如くの最小ドットのサイズ規制はなく、濃度が低下するほどに最小ドットのサイズが最大１ドットまで小さくなっていく。
【０１７８】
なお、図２４の例では、本実施例に係わるＹ色スクリーン成長パターン〔同図（ａ）〕と通常のＹ色スクリーン成長パターン〔同図（ｂ）〕間では、単位面積辺りの画素数は同じでドットの構造が異なっている。
【０１７９】
一般的に最小ドットサイズを規制してスクリーンパターンを形成すると、ハイライト側で見かけ上のスクリーン線数が低くなることで画像が粗くなり見た目の画質が低下するが、Ｙ色は明度のコントラストが低いため、画像が粗くても見え難い特徴がある。
【０１８０】
明度のコントラストが低いという特徴を有するＹ色について、通常のスクリーン成長パターンとは単位面積辺りの画素数は同じでドットの構造が異なる本実施例のスクリーン成長パターンを用いた場合にはマクロに見たときのＹ色の濃度は同一であり、印字品質が保たれる。
【０１８１】
上述したように、本実施例では、明度のコントラストが低いという特徴を有するＹ色のみについて、故意に、閃光吸収率を下げて、他の色（Ｍ色、Ｃ色）の閃光吸収率を上げ、これらＭ色、Ｃ色の各色トナーの定着性を改善すると共に、閃光吸収率が低いＹ色はドットサイズを大きくすることでトナーの定着性が確保されると共に、画質の低下を防ぐことになる。
【０１８２】
この他、本発明は、上記し、且つ図面に示す実施例に限定することなく、その要旨を変更しない範囲内で適宜変形して実施できるものである。
【０１８３】
例えば、実施例２においても、Ｙ色など、最小ドットサイズを規制する色のスクリーンについては、実施例１と同様、Ｃｉｎ値が所定値より低いハイライト領域内の網点の配置がランダムな（ブルーノイズ特性を有する）スクリーンを採用可能であることはいうまでもない。
【０１８４】
また、上記各実施例では、コンピュータで実現されるプリンタ等の画像形成装置に画像処理プログラムを実装し、該プログラムに基づき、該コンピュータを、印刷対象の文書データから各色成分のラスタ画像データを生成するラスタ画像データ生成手段（描画部１２２、色変換部１２３等）、ラスタ画像データを網点が行列配置されたスクリーン上の各網点に対応する多階調画素が２値信号に変換された各色成分の網点画像データを生成する網点画像データ生成手段（スクリーン処理部１２５）、網点画像データ生成手段による網点画像データの生成に際し、網点の最小サイズを各色成分にそれぞれ対応したサイズに制御するサイズ制御手段（ドットサイズ制御部１２６）等として機能させるようにしているが、当該画像形成プログラムをＣＤＲＯＭ等の記憶媒体に格納して提供するようにしても良い。
【産業上の利用可能性】
【０１８５】
本発明は、用紙上に転写された各色のトナー像を閃光定着装置からの閃光でカラー画像として定着する各種プリンタや複合機等のカラー画像形成装置、及びこれに実装する画像処理プログラムに適用できる。
【符号の説明】
【０１８６】
９…クライアント端末（ＰＣ：パーソナル・コンピュータ）、１０，１０Ｂ…プリンタ、１１…外部インタフェース（Ｉ／Ｆ）部、１２…画像処理部、１２１…コマンド解析部、１２２…描画部、１２３…色変換部、１２４…階調補正部、１２５，１２５ｂ…スクリーン処理部、１２６，１２６ｂ…ドットサイズ制御部、１３…画像形成部、３０Ｙ，３０Ｍ，３０Ｃ，３０Ｙ…各色の画像形成ユニット、４４…閃光定着装置、４４１…キセノンランプ、１４…表示／操作部、１５…記憶部、１６，１６ｂ…制御部、１６１，１６１ｂ…輝線発光駆動部
【図１】
0005387230.tif 000002
【図２】
0005387230.tif 000003
【図３】
0005387230.tif 000004
【図４】
0005387230.tif 000005
【図５】
0005387230.tif 000006
【図６】
0005387230.tif 000007
【図７】
0005387230.tif 000008
【図８】
0005387230.tif 000009
【図９】
0005387230.tif 000010
【図１０】
0005387230.tif 000011
【図１１】
0005387230.tif 000012
【図１２】
0005387230.tif 000013
【図１３】
0005387230.tif 000014
【図１４】
0005387230.tif 000015
【図１５】
0005387230.tif 000016
【図１６】
0005387230.tif 000017
【図１７】
0005387230.tif 000018
【図１８】
0005387230.tif 000019
【図１９】
0005387230.tif 000020
【図２０】
0005387230.tif 000021
【図２１】
0005387230.tif 000022
【図２２】
0005387230.tif 000023
【図２３】
0005387230.tif 000024
【図２４】
0005387230.tif 000025